(57)【特許請求の範囲】
【請求項１】
使用者の左右いずれか一方、または、左右両脇に配置されて側面からの使用者の鏡像を得る側面鏡及び使用者の上部に配置されて真上からの使用者の鏡像を得る天井鏡と、使用者の顔の前面に位置して前後左右に傾斜可能であり、左右の側面鏡の鏡像及び天井鏡の鏡像を使用者に向かって反射させることによって使用者が左右側面の鏡像及び真上からの鏡像を視認できる可動鏡からなるフォームチェック装置。
【請求項２】
請求項１において、可動鏡は伸縮可能なアームの先端に回転可能に取り付けてあって位置変更可能としてあるフォームチェック装置。
【請求項３】
請求項２において、伸縮可能なアームは、正面の壁または天井に一端が固定してあるフォームチェック装置。
【請求項４】
請求項１〜３のいずれかにおいて、使用者の正面に正面鏡が設置されているフォームチェック装置。
【発明の詳細な説明】
【技術分野】
【０００１】
この発明は、スポーツ等におけるプレーヤのフォームを本人自身が種々のアングルで観察できるようにしたフォームチェック装置に関する。
【背景技術】
【０００２】
スポーツにおいては正しいフォームを身につけることが重要であるが、自己のフォームを本人がリアルタイムに観察することは難しく、ビデオで録画しておいて後で映像を再生して観察するということがおこなわれている。
また、古くから鏡の前でフォームをチェックすることはおこなわれており、ゴルフスイングの矯正のため、プレーヤの前後左右にミラーを設置してスイングして、フォームの欠点を見出すことがおこなわれていた。
特許文献１（特許第３７７６９２８号公報）には、プレーヤのアドレス時、およびスイング時における頭部、両肩、両肘、左右の腰、両膝の線の動態変化を常に視認可能とした平面鏡に目標線を設けた装置が開示されている。
【先行技術文献】
【特許文献】
【０００３】
【特許文献１】特許第３７７６９２８号公報
【発明の開示】
【発明が解決しようとする課題】
【０００４】
録画装置を使用したフォームチェック装置は、練習中のフォームをリアルタイムで確認することはできず、録画画像の再生操作が必要であり、その場で自己の欠点やクセを認識して即座に修正に結び付けるということができなかった。
種々の方向からフォームをチェックしようとするとカメラが複数台必要となり、また、複数のカメラに画像を記録する装置、及び再生装置が必要となって高価なものとなる。
また、鏡を使用したチェック装置では、フォームを映す鏡の方向に使用者が顔を向けて鏡像を見なくてはならず、顔の向きが通常のプレー時の向きとは異なるものとなってしまっていた。
本発明は、高価な装置を必要とすることなく、眼前に設置した可動観察鏡によって自己のフォームを種々の角度からチッェクできるようにするものであり、自己のフォームを前後左右から、更には上部からもチェックすることができるようにするものである。
【課題を解決するための手段】
【０００５】
使用者の顔前面に位置するように移動可能であると共に、前後左右に傾斜可能として水平及び鉛直に対する角度を変更可能とした可動鏡と、使用者の左右いずれか一方、または、両側に設置した側面鏡からなるフォームチェック装置であり、フォームチェックする体の部位に応じて天井鏡、及びまたは正面鏡を設置したフォームチェック装置である。
更に、可動鏡は伸縮折り曲げ可能なアームの先端にその取り付け角度を可動に取り付けてあるものである。
【発明の効果】
【０００６】
本発明によれば、可動鏡を使用者の顔面の前方位置まで移動させてその水平及び鉛直に対する角度を調整してフォームをチェックしたい体の部分を映す天井鏡、または、左右の側面鏡のいずれかに向け、チェックしたいフォームを顔の前に位置する可動鏡に映しだし、動作中であってもフォームを観察することができる。
すなわち、使用者は、動作中の体の動きをチェックすることができると共に、可動鏡の向きを変更することによって、体の動きを観察するアングルを簡単に変更することができる。
正面はいうに及ばず、左右、前後及び上から自己のフォームを観察することができるので、その場でフォームの欠点やクセを認識することができ、フォームの修正を容易におこなうことができる。
【図面の簡単な説明】
【０００７】
【図１】本発明のフォームチェック装置の左側面図。
【図２】本発明のフォームチェック装置の正面図。
【図３】本発明のフォームチェック装置の右側面図であって、可動鏡を使用しない状態の説明図。
【図４】本発明のフォームチェック装置の平面図。
【発明を実施するための最良の形態】
【０００８】
以下、本発明を図示する実施例に基づいて説明する。
図１は、本発明のフォームチェック装置の左側面図、図２は正面図、図３は右側面図、図４は平面図である。
正面鏡１は、フォームをチェックする使用者Ａがフォームをチェックするときに正対して使用者の正面を映す鏡であり、使用者の全身が映しこまれる程度の大きさの鏡である。正面鏡１は、正面の壁Ｗなどに設置してあり、鏡は、直立させても傾斜させてもどちらでもよく、場合によっては省略してもよい。
【０００９】
可動鏡５は、使用者Ａの顔の前に位置させたり、または壁Ｗや天井Ｃ側に移動させることができるように、壁Ｗや天井Ｃに一端部を固定させた伸縮折り曲げ可能なアーム６の先端に、ジョイント７等で回転可能に取り付けられており、可動鏡５の水平及び鉛直方向に対する角度を自在に変更することができる。
可動鏡５は、上部に設置した天井鏡２、左右の側面鏡３、４が映した鏡像を受けて使用者が自己のフォームを観察できるようにするものであり、図示の例では、可動鏡５を保持するアーム６を壁Ｗに取付角度を変更できるように関節ジョイント８で固定したものである。なお、このアーム６を壁Ｗに固定する場合、取り付け固定角度αは６０〜７０度の範囲に設定するのが適当である。
アーム６は、壁Ｗだけでなく、天井Ｃに端部を固定するものであってもよい。
可動鏡５の大きさは動作中に邪魔にならず、しかも、フォームを観察するために体全体を映し出せる大きさにする。
【００１０】
天井鏡２は、使用者Ａを上から見た鏡像を可動鏡５に送るものであり、上部の天井Ｃなどに水平に対して傾斜角度βで設置してある。天井鏡２の傾斜角度βは、可動鏡５の傾斜角度αとも関連するものであるが、３〜１０度の範囲に設定する。
【００１１】
左右の側面鏡３、４は、図２に示すように、使用者Ａの左右の側面を映し、その鏡像を可動鏡５に送り、可動鏡５がその鏡像を受けて使用者Ａが視認できる範囲に反射させ、使用者Ａが自己の体の側面を観察するものである。
側面鏡３、４は、使用者Ａが立つ位置から左右に等距離の位置に直立させて設置してある。
可動鏡５の傾斜角を変更して観察する体側面側の側面鏡３、４のいずれかに向け、使用者Ａが体側面の鏡像を視認できるように適宜の角度に調節する。
【００１２】
図３は、使用者Ａのフォームを正面鏡１に映して観察する場合を示すものであり、可動鏡５を使用することなく直接正面鏡の鏡像を観察する。使用者Ａは、動作の最中に可動鏡５が邪魔にならないように後ろに下がった位置で動作するか、または、可動鏡５を支持するアーム６を伸縮可能なものとしたり、壁Ｗの取り付け角度が変更自在なものとしておき、アーム６を壁Ｗに平行に折り畳むことができるようにしてもよい。
【００１３】
図３の右側面図は、使用者が正対する正面鏡によってフォームをチェックするものであり、正面鏡は直立、または傾斜のどちらでもよい。
正面鏡１でフォームをチェックする場合は、可動鏡５は使用しないで直接正面鏡１の鏡像を視認するので、アーム６を縮小させて使用者Ａの正面から移動させて視界に可動鏡５が入らないようにしてフォームチェック装置を使用する。
【００１４】
使用者Ａと天井鏡２、左右の側面鏡３、４及び可動鏡５の平面的な相対位置を図４に示す。
使用者の背面に背面鏡を設置して、背面から見るフォームを天井鏡２を介して可動鏡５に送り、背面のフォームをチェックすることも可能である。
【００１５】
以上のように、本発明によれば、ビデオ装置など機器を使用することなく鏡に映る自己のフォームを動作と同時に視認することができるので、欠点を発見し易く、また、フォーム修正を即座におこなうことができる。
特に、リアルタイムの頭上からのフォームの視認は、従来おこなわれておらず、ゴルフスイングのフォームチェックにおいては、トップスイング時の頭の位置と腕の位置を確認するなど、今まで見逃がされていた角度からフォームを視認することができる。
したがって、ゴルフスィングのフォームのチェックに新たな視点を見出す可能性がある。
本装置は、ゴルフスイングのチェックに限らず、野球のピッチングフォームや打撃フォーム、テニスやピンポンのフォームチェックに活用できるものである。
【符号の説明】
【００１６】
１    正面鏡
２    天井鏡
３    右側面鏡
４    左側面鏡
５    可動鏡
６    アーム
７    ジョイント
Ａ    使用者
Ｗ    壁面
Ｃ    天井
【要約】
【課題】高価な撮影装置を使用せず、眼前に設置した可動鏡によって自己のフォームを種々の角度からチッェクできるようにする。
【解決手段】使用者に正対する正面鏡１、この正面鏡１は鏡面を上向きとして傾斜させてあり、使用者Ａの左右に配置された左右の側面鏡３．４、使用者の上部に傾斜させて設置された天井鏡２、そして、使用者の顔前面に位置するように伸縮可能なアーム６の先端に回転可能に取り付けてある可動鏡５からなり、可動鏡５をチェックする角度に配置した鏡２〜４のいずれかの鏡像を使用者Ａの正面で見ることができるように、角度を変更してチェック角度を前後左右、更には上部からチェックできるようにする。
【選択図】図１【図１】
0006006825.tif 000002
【図２】
0006006825.tif 000003
【図３】
0006006825.tif 000004
【図４】
0006006825.tif 000005